(57)【特許請求の範囲】
【請求項１】
正面開口部を有する庫本体と、同庫本体の左右の各側縁部に基端部を前後方向へ回動可能に組付けられて同庫本体の正面開口部を開閉する左右一対の開閉扉を備え、これら両開閉扉の閉鎖時これら両開閉扉の内側周縁部と前記庫本体の開口部の周縁部間に介在する可撓性のシール部材にて前記庫本体を密閉するように構成した観音開き式冷蔵庫において、前記各開閉扉の先端部の裏面側に、同先端部に沿って上下方向に延びこれら両開閉扉の閉鎖時に先端面が互いに当接する一対の支柱を設けるとともに、これら各支柱に、同支柱の先端縁に沿って上下方向に延び前記両開閉扉の閉鎖時に先端縁が前記両支柱の当接部の前側で互いに重合する舌片状の一対のシール部を設けたことを特徴とする観音開き式冷蔵庫。
【請求項２】
正面開口部を有する庫本体と、同庫本体の左右の各側縁部に基端部を前後方向へ回動可能に組付けられて同庫本体の正面開口部を開閉する左右一対の開閉扉を備え、これら両開閉扉の閉鎖時これら両開閉扉の内側周縁部と前記庫本体の開口部の周縁部間に介在する可撓性のシール部材にて前記庫本体を密閉するように構成した観音開き式冷蔵庫において、前記各開閉扉の先端部の裏面側に、同先端部に沿って上下方向に延びこれら両開閉扉の閉鎖時に先端面が互いに当接する一対の支柱を設けるとともに、前記各開閉扉の裏面に設けたシール部材に、同シール部材の先端縁に沿って上下方向に延び前記両開閉扉の閉鎖時に先端縁が前記両支柱の当接部の前側で互いに重合する舌片状の一対のシール部を設けたことを特徴とする観音開き式冷蔵庫。
【請求項３】
請求項１または２に記載の観音開き式冷蔵庫において、前記両支柱の少なくとも一方の支柱の先端部を、他方の支柱に対する当接面を頂点とする傾斜状の横断面形状に形成したことを特徴とする観音開き式冷蔵庫。
【発明の詳細な説明】
【０００１】
【発明の属する技術分野】
本発明は観音開き式冷蔵庫に関する。
【０００２】
【従来の技術】
観音開き式冷蔵庫は、正面開口部を有する庫本体と、同庫本体の左右の各側縁部に基端部を前後方向へ回動可能に組付けられて同庫本体の正面開口部を開閉する左右一対の開閉扉を備え、これら両開閉扉の閉鎖時これら両開閉扉の内側周縁部と前記庫本体の開口部の周縁部間に介在する可撓性のシール部材にて前記庫本体を密閉するように構成されている。しかして、観音開き式冷蔵庫においては、庫本体の開口部を両開閉扉にて閉鎖した場合、両開閉扉の互いに対向する先端部間にはわずかな隙間が発生するため、当該隙間を密閉する必要がある。
【０００３】
当該隙間を密閉する手段として、実開昭５９−３４２８４号公報には、両開閉扉の先端部にその上下方向に延びるとともに先端側へ突出するシール部材を設けて、両開閉扉の閉鎖時に両シール部材を互いに当接して重合させることにより、当該隙間を閉塞して密閉する手段が示されている。
【０００４】
また、特開昭６４−７９５６８号公報には、一方の開閉扉の先端側の内面に同先端に沿って上下方向に延びる閉塞部材を内外方向へ回動可能に組付けるとともに、庫本体側に一方の開閉扉の閉鎖時に前記閉塞部材に当接して同閉塞部材を外方向へ回動させるガイド部材を設け、一方の開閉扉の閉鎖時に閉塞部材を外方向へ回動させて同開閉扉の内面に沿って先端側へ突出させ、他方の開閉扉の内面側の先端縁に設けたシール部材に当接させることにより、両開閉扉間の隙間を閉塞部材にて密閉する手段が示されている。
【０００５】
【発明が解決しようとする課題】
ところで、前者の公報に示された密閉手段においては、両開閉扉の閉鎖時これらに設けた両シール部材は庫本体内の冷気に曝されて互いに重合した状態で凍結するおそれがあり、両シール部材が重合した状態で凍結すると両開閉扉の開放に支障をきたし、またいずれか一方または両方の開閉扉を開放する際に両シール部材に大きな引き剥し力が作用し、両シール部材が早期に損傷するおそれがある。
【０００６】
これに対して、後者の公報に示された密閉手段においては、シール部材の凍結による両開閉扉の開閉に対する支障やシール部材の損傷等といった問題は解消される。しかしながら、かかる密閉手段においては、閉塞部材を回動可能に支持するための支持手段、および閉塞部材を常に内方向へ付勢して回動復帰させるバネ手段等の不可避的な手段が必要である。
【０００７】
これらの不可避的手段のうち、閉塞部材の支持手段は庫本体内の冷気に曝されて凍結するおそれがあって、凍結した場合には閉塞部材の円滑な回動動作は期待できず、また閉塞部材のバネ手段は他の構成部材に比較して耐久性に劣るといった問題がある。
【０００８】
従って、本発明の目的は、観音開き式冷蔵庫において、上記した両密閉手段におけるような各問題を生じさせることなく、両開閉扉における先端部間の隙間を密閉するようにすることにある。
【０００９】
【課題を解決するための手段】
本発明は、正面開口部を有する庫本体と、同庫本体の左右の各側縁部に基端部を前後方向へ回動可能に組付けられて同庫本体の正面開口部を開閉する左右一対の開閉扉を備え、これら両開閉扉の閉鎖時これら両開閉扉の内側周縁部と前記庫本体の開口部の周縁部間に介在する可撓性のシール部材にて前記庫本体を密閉するように構成した形式の観音開き式冷蔵庫を適用対象とするものである。
【００１０】
しかして、本発明は上記した形式の観音開き式冷蔵庫において、前記各開閉扉の先端部の裏面側に、同先端部に沿って上下方向に延びこれら両開閉扉の閉鎖時に先端面が互いに当接する一対の支柱を設けるとともに、これら各支柱に、同支柱の先端縁に沿って上下方向に延び前記両開閉扉の閉鎖時に先端縁が前記両支柱の当接部の前側で互いに重合する舌片状の一対のシール部を設けたことを特徴とするものである。
【００１１】
また、本発明は上記した形式の観音開き式冷蔵庫において、前記各開閉扉の先端部の裏面側に、同先端部に沿って上下方向に延びこれら両開閉扉の閉鎖時に先端面が互いに当接する一対の支柱を設けるとともに、前記各開閉扉の裏面に設けたシール部材に、同シール部材の先端縁に沿って上下方向に延び前記両開閉扉の閉鎖時に先端縁が前記両支柱の当接部の前側で互いに重合する舌片状の一対のシール部を設けたことを特徴とするものである。
【００１２】
さらにまた、本発明はこれら各観音開き式冷蔵庫において、前記両支柱の少なくとも一方の支柱の先端部を、他方の支柱に対する当接面を頂点とする傾斜状の横断面形状に形成したことを特徴とするものである。
【００１３】
【発明の作用・効果】
このように構成した観音開き式冷蔵庫においては、両開閉扉の閉鎖時には、両開閉扉に設けた両支柱の先端面が互いに当接して両開閉扉の先端側の隙間が閉塞されるとともに、両支柱または両開閉扉のシール部材から突出する舌片状の両シール部の先端縁が互いに重合することにより両開閉扉の先端側の隙間が密閉される。この場合、両シール部は両支柱の前側にて重合しているため、両シール部と両支柱の当接部間に空気層が形成され、同空気層が断熱部として機能して両シール部の重合部位が凍結することがなく、両開閉扉を開放する際に両シール部に大きな力を要することなく引き剥すことができ、両開閉扉の円滑な開放が保持されるとともに、両シール部が早期に損傷するようなことがない。
【００１４】
また、当該観音開き式冷蔵庫においては、従来のごとき閉塞部材を使用するものでないことから、閉塞部材を回動可能に支持するための支持手段、および同閉塞部材を常に内方向へ付勢して回動復帰させるバネ手段等を必要とせず、これらの手段を採用することによる上記した各問題を解消することができる。
【００１５】
また、当該観音開き式冷蔵庫において、前記両支柱の少なくとも一方の支柱の先端部を、他方の支柱に対する当接面を頂点とする傾斜状の横断面形状に形成した場合には、すでに閉鎖されている他方の開閉扉側のシール部の先端側が閉鎖途中の一方の開閉扉の支柱の先端部に巻き込まれることがなくて、両シール部の先端部の重合不良による密閉不良は発生しない。
【００１６】
【発明の実施の形態】
以下本発明を図面に基づいて説明するに、図１には本発明に係る冷蔵庫の一例が示されている。当該冷蔵庫は観音開き式冷蔵庫であり、同図（ａ）は上側の左側の扉のみを開放した状態の正面図を示し、同図（ｂ）はこれらの扉のうち上側の両扉を開放した状態の正面を示している。
【００１７】
当該冷蔵庫は上下２段の冷蔵室を備えたもので、庫本体１１はその上部および下部にそれぞれ正面開口部１１ａ，１１ｂを備えているとともに、上側の正面開口部１１ａを開閉する左右一対の第１，第２扉１２，１３、および下側の正面開口部１１ｂを開閉する左右一対の第１，第２扉１４，１５を備えている。各第１扉１２，１４はそれらの基端部である右側縁部にて庫本体１１の各開口部１１ａ，１１ｂの右側縁部に前後方向へ回動可能に支持されており、また各第２扉１３，１５はそれらの基端部である左側縁部にて庫本体１１の各開口部１１ａ，１１ｂの左側縁部に前後方向へ回動可能に支持されている。
【００１８】
当該冷蔵庫においては、図１に示すように、上側の第１，第２扉１２，１３の先端部の内面側に支柱２１，２２が取付けられているとともに、下側の第１，第２扉１４，１５にも同様に支柱２３，２４が取付けられている。各支柱２１〜２４は上下方向に延びているもので、庫本体１１の開口部１１ａ，１１ｂの上下の幅と略同一の長さに形成されており、各扉１２〜１５を閉鎖した場合に各開口部１１ａ，１１ｂ内に嵌入されるようになっている。
【００１９】
これら各支柱のうち、第１扉１２，１４側に取付けられている各支柱２１，２３は互いに同一に構成されていて、図２、および図４〜図７に示すように、それらの先端側の部位にシール部材２５が取付けられている。また、第２扉１３，１５側に取付けられている各支柱２２，２４も互いに同一に構成されている。
【００２０】
第１扉１２に取付けられる支柱２１は、図２および図４〜図６に示すように、硬質の合成樹脂からなる第１枠体２１ａと磁性材料の金属からなる第２枠体２１ｂを備え、第２枠体２１ｂは第１枠体２１ａの角柱状の凹所２１ａ1の開口部からその内部に嵌合されて、第１枠体２１ａとともに角柱状の空間部を有する枠部を形成しており、この枠部の内部には合成樹脂を発泡してなる断熱材２１ｃが充填されている。断熱材２１ｃの内部には、第２枠体２１ｂの内側面に当接して、１本のＵ字状ヒータの各ヒータ部２１ｄ1，２１ｄ2が埋設されている。第１ヒータ部２１ｄ1は第２枠体２１ｂの先端部側に位置し、かつ第２ヒータ部２１ｄ2は同枠体２１ｂの前面側に位置している。
【００２１】
支柱２１においては、第１枠体２１ａの先端側の部位にシール部材２５を取付けるための嵌合凹所２１ａ2と、軟質の舌片状のシール部２１ａ3が形成されているとともに、後端側の部位に支柱２１を第１扉１２の内側に取付けるための外向フランジ部２１ａ4が形成されている。また、両枠体２１ａ，２１ｂにて成形されている枠部の上下各端部には閉塞板２１ｅが固定されて、各端部の開口部が閉塞されている。各閉塞板２１ｅは長方形状のもので、その内面には内方へ突出する掛止突起２１ｅ1が一体的に形成されている。また、各閉塞板２１ｅの前面の先端側にはシート状のシール部材２１ｅ2が取付部材２１ｅ3により固定されている。
【００２２】
シール部材２５はマグネットを備えた袋状のもので、袋部２５ａの先端部２５ｂの底部と基板部２５ｃ間に隔壁部２５ｄを備えている。シール部材２５においては、先端部２５ｂ内にマグネツト２５ｅが埋設されていて、基板部２５ｃを支柱２１の嵌合凹所２１ａ2に挿入されて取外し可能に嵌着されている。また、隔壁部２５ｄはバネ機能を備えており、マグネット２５ｅ側から押圧された際には、袋部２５ａを弾撥的に変形させる。シール部材２５が取付けられた支柱２１においては、第１枠体２１ａのシール部２１ａ3はマグネット２５ｅの前側にて、同マグネット２５ｅより先端側へ突出している。
【００２３】
支柱２１は、その外向フランジ部２１ａ4にて第１扉１２の先端側の内面に取付けられて固定され、シール部材２５に設けたマグネット２５ｅを先端側として第１扉１２の先端よりわずかに突出させている。なお、当該冷蔵庫においては、下側の第１扉１４に取付けられている支柱２３も、支柱２１と同一に構成され、かつ同一の取付け構造になっている。
【００２４】
第２扉１３に取付けられる支柱２２は支柱２１とは、シール部材２５が取付けられていない点、および右側の先端部がシール部材２５のマグネット２５ｅに対する吸着部に構成されている点を除き、左右対象の構造に形成されている。支柱２２は、図３〜図６に示すように、硬質の合成樹脂からなる第１枠体２２ａと磁性材料の金属からなる第２枠体２２ｂを備え、第２枠体２２ｂは第１枠体２２ａの角柱状の凹所２２ａ1の開口部からその内部に嵌合されて、第１枠体２２ａとともに角柱状の空間部を有する枠部を形成しており、この枠部の内部には合成樹脂を発泡してなる断熱材２２ｃが充填されている。断熱材２２ｃの内部には、第２枠体２２ｂの内側面に当接して、１本のＵ字状ヒータの各ヒータ部２２ｄ1，２２ｄ2が埋設されている。第１ヒータ部２２ｄ1は第２枠体２２ｂの先端部側に位置し、かつ第２ヒータ部２２ｄ2は同枠体２２ｂの前面側に位置している。
【００２５】
支柱２２においては、第１枠体２２ａの先端側の部位に断面台形状の筒部２２ａ2が形成されている。筒部２２ａ2は先端側頂部が開口していて、この開口部には吸着板２６が嵌着されている。吸着板２６は磁性材料の金属製のもので、その内側には１本のＵ字状ヒータの各ヒータ部２２ｄ3，２２ｄ4が当接して配設されている。吸着板２６の中央部は筒部２２ａ2から先端側に露呈していて、両扉１２，１３が閉鎖された際にはマグネット２５ｅと対向する吸着面を形成している。
【００２６】
支柱２２においても支柱２１と同様に、第１枠体２２ａの先端側の部位に軟質の舌片状のシール部２２ａ3が形成されているとともに、後端側の部位に支柱２２を第２扉１３の内側に取付けるための外向フランジ部２２ａ4が形成されている。また、両枠体２２ａ，２２ｂにて成形されている枠部の上下各端部には閉塞板２２ｅが固定されて、各端部の開口部が閉塞されている。各閉塞板２２ｅは長方形状のもので、その内面には内方へ突出する掛止突起２２ｅ1が一体的に形成されている。また、各閉塞板２２ｅの前面の先端側にはシート状のシール部材２２ｅ2が取付部材２２ｅ3により固定されている。
【００２７】
支柱２２は、その外向フランジ部２２ａ4にて第２扉１３の先端側の裏面に取付けられて固定され、吸着板２６の吸着面を先端側として第２扉１３の先端よりわずかに突出させている。なお、当該冷蔵庫においては、下側の第２扉１５に取付けられている支柱２４も、支柱２２と同一に構成され、かつ同一の取付け構造になっている。
【００２８】
一方、庫本体１１の各開口部１１ａ，１１ｂには、図１に示すように、上下両開口縁部の中央部に掛止部材１６が設けられている。掛止部材１６は図４〜図６に示すように、コ字状の横断面を有するもので、コ字状の凹所１６ａの中央部には前側へ突出する断面三角形状の突起部１６ｂが形成されているとともに、同突起部１６ｂを挟んで両側に一対の掛止溝１６ｃ，１６ｄが形成されている。各掛止溝１６ｃ，１６ｄは各支柱２１，２２が有する各掛止突起２１ｅ1，２２ｅ1に対向するもので、各支柱２１，２２の各掛止突起２１ｅ1，２２ｅ1が各掛止溝１６ｃ，１６ｄに挿入された際には、各掛止突起２１ｅ1，２２ｅ1はそれらの外側の突起部にて各掛止溝１６ｃ，１６ｄの外側の凹所に離脱可能に掛止される。
【００２９】
このように構成した観音開き式冷蔵庫においては、例えば、両扉１２，１３の閉鎖時には、両支柱２１，２２は図５に示すように動作して図４に示すように両扉１２，１３の閉鎖を完了し、また両扉の開放時には、両支柱２１，２２は図６に示すように動作する。
【００３０】
両扉１２，１３が開放状態にある場合に第１扉１２を閉鎖すると、第１扉１２に取付けた支柱２１に設けた掛止突起２１ｅ1が庫本体１１に取付けた掛止部材１６の掛止溝１６ｃに嵌合して、掛止溝１６ｃに離脱可能に掛止される。これにより、第１扉１２は庫本体１１に対して所定の規制力にて固定され、庫本体１１の開口部１１ａの略右半分を閉鎖する。この状態においては、シール部材２５の袋部２５ａの後面が掛止部材１６の中央突起部１６ｂの一方の傾斜面に弾撥的に当接するとともに、支柱２１の各シール部材２１ｅ2が庫本体１１の開口部１１ａの上下各縁部に弾撥的に当接する。また、この状態においては、支柱２１に設けたシール部２１ａ3はシール部材２５より前側にて、マグネット２５ｅの先端よりわずかに先端側へ突出している。
【００３１】
次いで、第２扉１３を閉鎖するが第２扉１３を閉鎖する際には、図５に示すように、支柱２２の先端部が支柱２１に設けたシール部２１ａ3に前側から当接して、シール部３１ａ3を後側へ反らせた状態でさらに後側へ回動し、支柱２２の吸着板２６の吸着部がシール部材２５のマグネット２５ｅに当接して吸着されるとともに、マグネット２５ｅを介してシール部材２５の袋部２５ａを押圧し、隔壁部２５ｄを撓ませ袋部２５ａを弾撥的に変形させる。
【００３２】
この状態においては、支柱２２に設けた掛止突起２２ｅ1が庫本体１１に取付けた掛止部材１６の掛止溝１６ｄに嵌合して、掛止溝１６ｄに離脱可能に掛止される。これにより、第２扉１３は庫本体１１に対して所定の規制力にて固定され、庫本体１１の開口部１１ａの略左半分を閉鎖する。
【００３３】
また、この状態においては、支柱２２の先端部の後面が掛止部材１６の中央突起部１６ｂの他方の傾斜面に当接し、また支柱２２のシール部２２ａ3は復帰した支柱２１のシール部２１ａ3の前面に当接し、さらにまた支柱２２の各シール部材２２ｅ2が庫本体１１の開口部１１ａの上下各縁部に弾撥的に当接する。これにより、両扉１２，１３は図４に示すように、その内面の前外周縁部に設けたシール部材１２ａ，１３ａを庫本体１１の開口部１１ａの全外周縁部に前面から当接させて、庫本体１１の開口部１１ａを密閉する。
【００３４】
一方、両扉１２，１３を開放するには、例えば図６に示すように、先づ第２扉１３を開放する。第２扉１３を開放するには、所定の力で手前に引張って掛止部材１６の掛止溝１６ｄから支柱２２の掛止突起２２ｅ1を離脱させる。これにより、支柱２２は第２扉１３とともに前方へ回動して、支柱２１側のマグネット２５ｅから離脱するとともに、支柱２２の先端部が支柱２１に設けたシール部２１ａ3に後側から当接して、シール部３１ａ3を前側へ反らせた状態でさらに前側へ回動する。この状態で第２扉１３が開放されるが、第１扉１２は支柱２１の掛止突起２１ｅ1が掛止部材１６の掛止溝１６ｃに掛止した状態にあるため、第１扉１２は閉鎖状態を保持される。
【００３５】
なお、以上の説明は、第１扉１２を先に閉鎖して第２扉１３を閉鎖するとともに、第２扉１３を先に開放して第１扉１２を開放する例についての説明であるが、当該冷蔵庫においては、両扉１２，１３の開閉順序は任意であって、両扉１２，１３の開閉順序を逆にした場合には、各支柱２１，２２は上記した状態とは逆の状態に動作する。また、当該冷蔵庫においては、下側の両扉１４，１５の開閉も上側の両扉１２，１３と全く同様である。
【００３６】
このように当該冷蔵庫においては、両支柱２１，２３およびこれら両者２１，２２間に介在するシール部材２５と、両支柱２１，２２に設けたシール部２１ａ3，２２ａ3とにより両扉１２，１３の先端部の隙間を確実に密閉することができるとともに、全ての支柱２１〜２４と庫本体１１の間に設けた掛止手段により、各支柱２１〜２４を所定の力で庫本体１１に掛止するように構成しているため、一方の扉を開放しても他方の扉がこれにともなって開放されることがない。
【００３７】
また、当該冷蔵庫においては、両扉１２，１３の閉鎖時には、両扉１２，１３に設けた両支柱２１，２２の先端面が互いに当接して両扉１２，１３の先端側の隙間が閉塞されるとともに、両支柱１２，１３から突出する両シール部２１ａ3，２２ａ3の先端縁が互いに重合することにより両扉１２，１３の先端側の隙間が密閉される。この場合、両シール部２１ａ3，２２ａ3は両支柱２１，２２の前側にて重合しているため、両シール部２１ａ3，２２ａ3と両支柱２１，２２の当接部間に空気層が形成され、同空気層が断熱部として機能して両シール部２１ａ3，２２ａ3の重合部位が凍結することがなく、両扉１２，１３を開放する際に両シール部シール部２１ａ3，２２ａ3に大きな力を要することなく引き剥すことができ、両扉１２，１３の円滑な開放が保持されるとともに、両シール部２１ａ3，２２ａ3が早期に損傷するようなことがない。これらのことは、下側の両扉１４，１５の各支柱２３，２４においても同様である。
【００３８】
さらにまた、当該観音開き式冷蔵庫において、支柱２２の先端部を断面台形状に形成しているため、すでに閉鎖されている第１扉１２のシール部２１ａ3の先端側が閉鎖途中の第２扉１３側の支柱２２の支柱の先端部に巻き込まれることが防止され、両シール部２１ａ3，２２ａ3の先端部の重合不良に起因する密閉不良は発生しない。このことは、下側の両扉１４，１５の各支柱２３，２４においても同様である。
【００３９】
図７には、上記した冷蔵庫の変形例に係る冷蔵庫における図４に対応する部位の横断面が示されている。当該冷蔵庫においては、上記冷蔵庫の各支柱２１，２２に設けた各シール部２１ａ3，２２ａ3と同様に機能する各シール部１２ａ1，１３ａ1が第１扉１２の裏面に設けたシール部材１２ａにおける先端縁側と、第２扉１３の裏面に設けたシール部材１３ａにおける先端縁側とに形成されている。各シール部１２ａ1，１３ａ1は各支柱２１，２２の前側にて各支柱２１，２２の先端よりわずかに延出していて、両扉１２，１３が閉鎖された際には各支柱２１，２２の前側にて互いに先端縁を重合した状態で当接し、両支柱２１，２２間の隙間を閉塞する。
【００４０】
なお、その他の構成は上記した冷蔵庫と同一であり、同冷蔵庫と同様に作動するとともに、同様の作用効果を奏するものである。また、下側の第１，第２扉１４，１５においても同様の構造に構成され、上記したと同様の作用効果を奏するものである。
【００４１】
図８には、上記した冷蔵庫の他の変形例に係る冷蔵庫における図４に対応する部位の横断面が示されている。当該冷蔵庫においては、上記冷蔵庫の掛止部材１６の各掛止溝１６ｃ，１６ｄと各支柱２１，２２に設けた各掛止突起部２１ｅ1，２２ｅ1とが、互いに内側にて掛止される形状に形成されている。このような掛止部材１６および各支柱２１，２２を採用した場合においても、各掛止溝１６ｃ，１６ｄに対する各掛止突起部２１ｅ1，２２ｅ1の掛止、離脱動作は、上記した各冷蔵庫の場合と同様である。
【００４２】
なお、その他の構成は上記した各冷蔵庫と同一であり、同冷蔵庫と同様に作動するとともに、同様の作用効果を奏するものである。また、下側の第１，第２扉１４，１５においても同様の構造に構成され、上記したと同様の作用効果を奏するものである。
【図面の簡単な説明】
【図１】本発明の一例に係る観音開き式冷蔵庫の上側の左側扉のみを開放した状態の正面図（ａ）、および同冷蔵庫の上側の両扉を開放した状態の正面図（ｂ）である。
【図２】同冷蔵庫に採用される一方の支柱の前側からみた概略的な拡大斜視図である。
【図３】同冷蔵庫に採用される他方の支柱の前側からみた概略的な拡大斜視図である。
【図４】同冷蔵庫における両扉を閉鎖した状態における両扉の先端側の拡大横断面図である。
【図５】同冷蔵庫における他方の扉を閉鎖する際の動作を説明する両扉の先端側の拡大横断面図である。
【図６】同冷蔵庫における他方の扉を開放する際の動作を説明する両扉の先端側の拡大横断面図である。
【図７】同冷蔵庫の変形例に係る冷蔵庫における図４に対応する拡大横断面図である。
【図８】同冷蔵庫の他の変形例に係る冷蔵庫における図４に対応する拡大横断面図である。
【符号の説明】
１１…庫本体、１１ａ，１１ｂ…開口部、１２，１４…第１扉、１３，１５…第２扉、１２ａ，１３ａ…シール部材、１２ａ1，１３ａ1…シール部、１６…掛止部材、２１〜２４…支柱、２１ａ，２２ａ…第１枠体、２１ｂ，２２ｂ…第２枠体、２２ａ2…筒部、２１ａ3，２２ａ3…シール部、２５…シール部材、２５ａ…袋部、２５ｄ…隔壁部、２５ｅ…マグネット、２６…吸着板。
【図１】
0003649490.tif 000002
【図２】
0003649490.tif 000003
【図３】
0003649490.tif 000004
【図４】
0003649490.tif 000005
【図５】
0003649490.tif 000006
【図６】
0003649490.tif 000007
【図７】
0003649490.tif 000008
【図８】
0003649490.tif 000009